(57)【特許請求の範囲】
【請求項１】
水分の吸着と離脱を連続的に行なう回転式除湿材を備えた除湿機の制御装置において、
除湿機内の所定位置の温度を検知するための温度検知手段を備え、
除湿運転開始時に、ｉ）前記回転式除湿材の水分を離脱させるための再生空気を加熱するための再生ヒータを通電せずに除湿運転を行ない、ｉｉ）所定時間経過後に前記温度検知手段によって検知された所定位置の温度が設定温度未満の場合には前記再生ヒータを通電する除湿運転を行ない、前記温度検知手段によって検知された所定位置の温度が設定温度以上の場合には前記再生ヒータを通電せずに除湿運転を行なうための制御手段を含む除湿機の制御装置。
【請求項２】
前記温度検知手段は、前記再生ヒータの加熱部の温度を測定する加熱部温度センサを含み、
前記制御手段は、除湿運転開始時に前記再生ヒータを通電せずに除湿運転を行ない、所定時間経過後に前記加熱部温度センサによって検知された温度が設定温度未満の場合には前記再生ヒータを通電する除湿運転を行ない、前記加熱部温度センサによって検知された温度が設定温度以上の場合には前記再生ヒータを通電せずに除湿運転を行なう、請求項１記載の除湿機の制御装置。
【請求項３】
前記温度検知手段はさらに、再生空気が前記回転式除湿材から出た直後の位置に設けられる再生温度センサを含み、
前記制御手段は、除湿運転開始時に前記再生ヒータを通電せずに除湿運転を行ない、所定時間経過後に前記加熱部温度センサおよび前記再生温度センサによって検知された温度がいずれも設定温度未満の場合には前記再生ヒータを通電する除湿運転を行ない、前記加熱部温度センサおよび前記再生温度センサによって検知された温度のいずれかが設定温度以上の場合には前記再生ヒータを通電せずに除湿運転を行なう、請求項２記載の除湿機の制御装置。
【請求項４】
前記除湿機の制御装置はさらに、室内の湿度を検知するための湿度検知手段を含み、
前記制御手段は、除湿運転開始時に前記再生ヒータを通電せずに除湿運転を行ない、所定時間経過後に前記温度検知手段によって検知された所定位置の温度が設定温度未満である場合には、前記再生ヒータが前記再生空気に加える熱量が異なる複数の運転モードから前記湿度検知手段によって検知された室内の湿度に基づき一の運転モードを決定し、当該決定された運転モードで前記再生ヒータを通電する除湿運転を行なう、請求項１〜３のいずれかに記載の除湿機の制御装置。
【請求項５】
水分の吸着と離脱を連続的に行なう回転式除湿材を備えた除湿機の制御装置において、
除湿機内の所定位置の温度を検知するための温度検知手段を備え、
除湿運転開始時に、ｉ）前記温度検知手段によって検知された所定位置の温度が設定温度未満になるまで前記回転式除湿材の水分を離脱させるための再生空気を加熱するための再生ヒータを通電せずに除湿運転を行ない、ｉｉ）前記温度検知手段によって検知された所定位置の温度が設定温度未満となったときに前記再生ヒータを通電する除湿運転を開始した後、前記温度検知手段によって検知された所定位置の温度が設定温度未満の場合には前記再生ヒータを通電する除湿運転を行ない、前記温度検知手段によって検知された所定位置の温度が設定温度以上の場合には前記再生ヒータを通電せずに除湿運転を行なうための制御手段を含む除湿機の制御装置。
【請求項６】
前記温度検知手段は、前記再生ヒータの加熱部の温度を測定する加熱部温度センサを含み、
前記制御手段は、除湿運転開始時に前記加熱部温度センサによって検知された温度が設定温度未満になるまで前記再生ヒータを通電せずに除湿運転を行ない、前記加熱部温度センサによって検知された温度が設定温度未満となったときに前記再生ヒータを通電する除湿運転を開始した後、前記加熱部温度センサによって検知された温度が設定温度未満の場合には前記再生ヒータを通電する除湿運転を行ない、前記加熱部温度センサによって検知された温度が設定温度以上の場合には前記再生ヒータを通電せずに除湿運転を行なう、請求項５記載の除湿機の制御装置。
【請求項７】
前記温度検知手段はさらに、再生空気が前記回転式除湿材から出た直後の位置に設けられる再生温度センサを含み、
前記制御手段は、除湿運転開始時に前記加熱部温度センサおよび前記再生温度センサによって検知された温度がいずれも設定温度未満になるまで前記再生ヒータを通電せずに除湿運転を行ない、前記加熱部温度センサおよび前記再生温度センサによって検知された温度がいずれも設定温度未満となったときに前記再生ヒータを通電する除湿運転を開始した後、前記加熱部温度センサおよび前記再生温度センサによって検知された温度がいずれも設定温度未満の場合には前記再生ヒータを通電する除湿運転を行ない、前記加熱部温度センサおよび前記再生温度センサによって検知された温度のいずれかが設定温度以上の場合には前記再生ヒータを通電せずに除湿運転を行なう、請求項６記載の除湿機の制御装置。
【請求項８】
前記除湿機の制御装置はさらに、室内の湿度を検知するための湿度検知手段を含み、
前記制御手段は、除湿運転開始時に前記温度検知手段によって検知された所定位置の温度が設定温度未満になるまで前記再生ヒータを通電せずに除湿運転を行ない、前記温度検知手段によって検知された温度が設定温度未満である場合には、前記再生ヒータが前記再生空気に加える熱量が異なる複数の運転モードから前記湿度検知手段によって検知された室内の湿度に基づき一の運転モードを決定し、当該決定された運転モードで前記再生ヒータを通電する除湿運転を行なう、請求項５〜７のいずれかに記載の除湿機の制御装置。
【請求項９】
水分の吸着と離脱を連続的に行なう回転式除湿材を備えた除湿機の制御方法において、
除湿運転開始時に前記回転式除湿材の水分を離脱させるための再生空気を加熱するための再生ヒータを通電せずに除湿運転を行ない、所定時間経過後に前記除湿機内の所定位置の温度を検知するステップと、
前記検知された所定位置の温度が設定温度未満の場合には前記再生ヒータを通電する除湿運転を行ない、前記検知された所定位置の温度が設定温度以上の場合には前記再生ヒータを通電せずに除湿運転を行なうステップとを含む除湿機の制御方法。
【請求項１０】
水分の吸着と離脱を連続的に行なう回転式除湿材を備えた除湿機の制御方法において、
除湿運転開始時に所定位置の温度が設定温度未満になるまで前記回転式除湿材の水分を離脱させるための再生空気を加熱するための再生ヒータを通電せずに除湿運転を行ない、前記所定位置の温度が設定温度未満となったときに前記再生ヒータを通電する除湿運転を開始するステップと、
前記除湿運転を開始した後、前記所定位置の温度が設定温度未満の場合には前記再生ヒータを通電する除湿運転を行ない、前記所定位置の温度が設定温度以上の場合には前記再生ヒータを通電せずに除湿運転を行なうステップとを含む除湿機の制御方法。
【発明の詳細な説明】
【０００１】
【発明の属する技術分野】
本発明は、水分の吸着と離脱を連続的に行なう回転式除湿材を備えた乾式除湿機の制御技術に関し、特に、不要なアフターパージ運転を防止して使用者の利便性を向上させることが可能な除湿機の制御装置およびその制御方法に関する。
【０００２】
【従来の技術】
従来から、除湿機として、回転式除湿材を備えた乾式除湿機（以下、単に除湿機と呼ぶ。）が広く利用されている。図１５は、除湿機の全体構成を説明するための図である。この除湿機は、後述する再生空気を加熱する加熱部（再生ヒータ）１０７と、再生空気を巡回させる再生ファン１１０と、乾燥空気１３６を室内に放出させる除湿ファン１１２と、被除湿空気１３２を吸湿材に吸湿させる除湿ロータ１３１と、粗いごみを除去するフィルタ１３３と、除湿ロータ１３１からの暖かく湿った空気を凝縮する凝縮器１３４と、除湿ロータ１３１からの暖かい乾燥空気１３６の熱を回収する熱回収熱交換器１３５と、凝縮器１３４から排出された結露水１３９を受ける水受タンク１４０と、結露水１３９を汲み上げる揚水ポンプ１４１と、結露水を蓄える貯水タンク１４２と、揚水ポンプ１４１によって汲み上げられた結露水１３９を貯水タンク１４２へ送る揚水チューブ１４８とを含む。
【０００３】
除湿ロータ１３１は、平面シートに片波成形体を巻回したハニカムロータの表面や内部にゼオライト（吸湿剤）を坦持させたものである。ゼオライトには潮解現象がなく、結晶質で安定した細孔構造を有し、水分吸収に対する劣化が少ないため、長期間安定した吸湿を行なうことが可能である。
【０００４】
除湿ロータ１３１は、被除湿空気１３２が通過する除湿部１４６と、加熱部１０７によって加熱された熱風が通過する再生部１４７とを含んでいる。除湿ロータ１３１は、図示しない駆動モータ（以下、ロータモータと呼ぶ。）によって矢印の方向に回転され、除湿ロータ１３１における除湿部１４６と再生部１４７との位置が少しずつ回転移動する。これによって、除湿部１４６で吸湿したとしても、後述するように再生部１４７によって再生されるため、連続的な使用が可能となる。
【０００５】
被吸湿空気１３２は除湿ファン１１２によって吸引され、フィルタ１３３によって粗いゴミが除去された後凝縮器１３４を通過させて、後述するように、凝縮器１３４内部の暖かく湿った再生空気を冷却して、再生空気中の水分を結露させる。凝縮器１３４を通過した被除湿空気１３２は除湿ロータ１３１を通過して、吸湿剤に吸湿させることによって暖かい乾燥空気１３６となる。そして、熱回収熱交換器１３５によって熱回収された後に、室内に放出される。
【０００６】
吸湿した除湿ロータ１３１の吸湿剤を再生させるために、加熱部１０７によって再生空気を２００℃〜２５０℃に加熱した後、再生ファン１１０によって除湿ロータ１３１に送風する。加熱された再生空気は、除湿ロータ１３１の再生部１４７における除湿剤から水分を受取って暖かく湿った空気となる。そして、暖かく湿った空気が凝縮器１３４に送られ、凝縮器１３４内の暖かく湿った空気が被吸湿空気１３２によって冷却され、水分を結露させて排出する。この結露水１３９は、水受タンク１４０に導かれる。
【０００７】
水受タンク１４０には、水位を検知する図示しないフロートスイッチが設けられており、所定の水位を検知すると揚水ポンプ１４１を運転することによって、結露水１３９は揚水チューブ１４８を経て貯水タンク１４２に蓄えられる。
【０００８】
加熱部１０７によって加熱された熱風が除湿ロータ１３１を通過し、除湿ロータ１３１が少しずつ回転移動するため、除湿ロータ１３１は暖められている。そして、この除湿ロータ１３１に被除湿空気１３２が通過するため、乾燥空気１３６が暖められている。熱回収熱交換器１３５によって、この暖められた乾燥空気１３６の熱が回収される。熱回収熱交換器１３５の内部には、凝縮器１３４によって結露水１３９が排出された後の再生空気が通過しており、この熱回収熱交換器１３５によって再生空気が暖められた分だけ加熱部１０７の消費電力を節約することができる。再生空気は閉回路内を移動するため、繰返し使用することが可能である。
【０００９】
図１６は、図１５に示す除湿機を制御する制御装置の概略構成を示すブロック図である。この制御装置は、制御装置全体の制御を行なう制御部１０１と、連続除湿スイッチ１０３と、自動除湿スイッチ１０４と、運転スイッチ１０５と、室内の湿度を測定する湿度センサ１０６と、再生ヒータ１０７と、再生ヒータ１０７を駆動する駆動部１０８と、ロータモータ１０９と、再生ファン１１０と、ロータモータ１０９および再生ファン１１０を駆動する駆動部１１１と、除湿ファン１１２と、除湿ファン１１２を駆動する駆動部１１３と、再生空気の温度を測定する再生温度センサ１１４と、加熱部（再生ヒータ）１０７の温度を測定する加熱部温度センサ１１５とを含む。
【００１０】
また、制御部１０１は、連続除湿スイッチ１０３、自動除湿スイッチ１０４および運転スイッチ１０５の入力状態と、湿度センサ１０６、再生温度センサ１１４および加熱部温度センサ１１５の検出信号とを受けて運転モードを判定し、その判定結果によって駆動部１０８、１１１および１１３を制御する運転モード判定部１２１と、タイマ１２２とを含む。
【００１１】
再生空気の移動経路内における異常温度上昇を検出するために、加熱部（再生ヒータ）１０７内に加熱部温度センサ１１５が設けられ、再生空気が除湿ロータ１３１から出た直後の位置に再生温度センサ１１４が設けられている。
【００１２】
運転スイッチ１０５が押され、連続除湿スイッチ１０３が選択された場合には、制御部１０１は連続除湿運転を行なう。また、運転スイッチ１０５が押され、自動除湿スイッチ１０４が選択された場合には、制御部１０１は自動除湿運転を行なう。
【００１３】
連続除湿運転が選択されると、運転モード判定部１２１は、再生温度センサ１１４および加熱部温度センサ１１５から出力される検出信号によって温度を検知し、予め設定された温度（以下、設定温度と呼ぶ。）と比較する。運転モード判定部１２１は、検知した温度がそれぞれ設定温度未満であると判断すると、連続運転と判定して湿度センサ１０６から出力される検出信号を無視する。そして、駆動部１０８、１１１および１１３を制御し、再生ヒータ１０７、ロータモータ１０９、再生ファン１１０および除湿ファン１１２を駆動することにより、部屋の湿度に関係なく連続的に除湿運転を行なう。
【００１４】
自動除湿運転が選択されると、運転モード判定部１２１は、再生温度センサ１１４および加熱部温度センサ１１５から出力される検出信号によって温度を検知し、設定温度と比較する。運転モード判定部１２１は、検知した温度がそれぞれ設定温度未満であると判定すると、湿度センサ１０６から出力される検出信号によって検知された部屋の湿度と設定湿度とを比較し、部屋の湿度に対する設定湿度に応じて駆動部１０８、１１１および１１３を制御し、再生ヒータ１０７、ロータモータ１０９、再生ファン１１０および除湿ファン１１２を駆動することにより、部屋の湿度に応じた自動除湿運転を行なう。
【００１５】
再度、運転スイッチ１０５が押されて運転停止が選択されると、運転モード判定部１２１はアフターパージ運転モードであると判定する。このアフターパージ運転モードになると、運転モード判定部１２１は、駆動部１０８を制御して再生ヒータ１０７のみに通電停止の信号を出力させる。そして、駆動部１１３を制御して除湿ファン１１２が最小風量となるように駆動し、駆動部１１１を制御してロータモータ１０９および再生ファン１１０に運転継続の信号を出力させるとともに、タイマ１２２にカウントを開始させる。
【００１６】
運転モード判定部１２１は、タイマ１２２が所定時間になるのを検出すると、駆動部１０８、１１１および１１３を制御して、再生ヒータ１０７、ロータモータ１０９、再生ファン１１０および除湿ファン１１２の通電を停止させる。この様にアフターパージ運転が行なわれることにより、加熱部の温度を所定値以下まで低下させる。
【００１７】
なお、連続除湿運転または自動除湿運転において、再生温度センサ１１４または加熱部温度センサ１１５の検出信号によって、いずれかの温度が設定温度以上であることが検知された場合には、加熱部を強制的に冷却する強制冷却運転を行なう。この強制冷却運転は、たとえば再生ファン１１０が運転不能になった場合にも運転されるため、その運転は加熱部への通電を停止した状態で終了する必要がある。すなわち、使用者が再び運転開始を指示するまでの間は、加熱部に通電されない状態となる。その強制冷却運転の一例として、アフターパージ運転モードに移行する場合がある。
【００１８】
【発明が解決しようとする課題】
しかし、上述した除湿機の運転制御において、たとえば連続除湿運転または自動除湿運転中にコンセントを抜いたりして運転停止を選択せずに強制的に運転を停止させた場合、アフターパージ運転を行なわずに運転を停止するため、加熱部は冷却されないことになる。その後、たとえば約１分〜１０分の間のような短時間に運転を再開すると加熱部１０７内の温度が著しく高いため、加熱部温度センサ１１５からの検出信号によって強制冷却運転を行なってしまい、一度強制冷却運転が終了するまで、通常の除湿運転が行なえないという問題点があった。
【００１９】
また、室内の湿度が極端に低い状態で除湿機の運転を行なっているときに強制的に運転を停止させた後に再運転を行なう場合、除湿ロータ１３１から出た直後の再生空気の温度も高くなり、再生温度センサ１１４または加熱部温度センサ１１５からの検出信号によって強制冷却運転を行なってしまい、この強制冷却運転が終了するまで通常の除湿運転が行なえないという問題点があった。
【００２０】
そして、これらの場合には、使用者は強制冷却運転終了後に再び運転スイッチを操作して、運転の指示を与えなければ運転が再開されず、非常に不便なものとならざるを得ない。
【００２１】
本発明は、上記問題点を解決するためになされたものであり、その目的は、不要な強制冷却運転を防止して使用者の利便性を向上させることが可能な除湿機の制御装置および制御方法を提供することである。
【００２２】
【課題を解決するための手段】
本発明のある局面に従えば、水分の吸着と離脱を連続的に行なう回転式除湿材を備えた除湿機の制御装置において、除湿機内の所定位置の温度を検知するための温度検知手段を備え、除湿運転開始時に、ｉ）回転式除湿材の水分を離脱させるための再生空気を加熱するための再生ヒータを通電せずに除湿運転を行ない、ｉｉ）所定時間経過後に温度検知手段によって検知された所定位置の温度が設定温度未満の場合には再生ヒータを通電する除湿運転を行ない、温度検知手段によって検知された所定位置の温度が設定温度以上の場合には再生ヒータを通電せずに除湿運転を行なうための制御手段を含む。
【００２３】
制御手段は、除湿運転開始時に再生ヒータを通電せずに除湿運転を行ない、所定時間経過後に温度検知手段によって所定位置の温度を検知するので、強制的に除湿運転を停止させた直後に除湿運転を再開させた場合であっても、再生ファンが故障する等の異常な状態でない限り本体内部は冷却され、所定位置の温度が著しく高いことを検知することがなくなり、不要なアフターパージ運転を防止して使用者の利便性を向上させることが可能となる。
【００２４】
好ましくは、温度検知手段は、再生ヒータの加熱部の温度を測定する加熱部温度センサを含み、制御手段は、除湿運転開始時に再生ヒータを通電せずに除湿運転を行ない、所定時間経過後に加熱部温度センサによって検知された温度が設定温度未満の場合には再生ヒータを通電する除湿運転を行ない、加熱部温度センサによって検知された温度が設定温度以上の場合には再生ヒータを通電せずに除湿運転を行なう。
【００２５】
したがって、強制的に除湿運転を停止させた直後に除湿運転を再開させた場合であっても、再生ファンが故障する等の異常な状態でない限り本体内部は冷却され、加熱部の温度が著しく高いことを検知することがなくなり、不要なアフターパージ運転を防止して使用者の利便性を向上させることが可能となる。
【００２６】
さらに好ましくは、温度検知手段はさらに、再生空気が回転式除湿材から出た直後の位置に設けられる再生温度センサを含み、制御手段は、除湿運転開始時に再生ヒータを通電せずに除湿運転を行ない、所定時間経過後に加熱部温度センサおよび再生温度センサによって検知された温度がいずれも設定温度未満の場合には再生ヒータを通電する除湿運転を行ない、加熱部温度センサおよび再生温度センサによって検知された温度のいずれかが設定温度以上の場合には再生ヒータを通電せずに除湿運転を行なう。
【００２７】
したがって、強制的に除湿運転を停止させた直後に除湿運転を再開させた場合であっても、再生ファンが故障する等の異常な状態でない限り本体内部は冷却され、加熱部および再生空気が除湿ロータから出た直後の位置の温度が著しく高いことを検知することがなくなり、不要なアフターパージ運転を防止して使用者の利便性を向上させることが可能となる。
【００２８】
好ましくは、除湿機の制御装置はさらに、室内の湿度を検知するための湿度検知手段を含み、制御手段は、除湿運転開始時に再生ヒータを通電せずに除湿運転を行ない、所定時間経過後に温度検知手段によって検知された所定位置の温度が設定温度未満である場合には、再生ヒータが再生空気に加える熱量が異なる複数の運転モードから湿度検知手段によって検知された室内の湿度に基づき一の運転モードを決定し、決定された運転モードで再生ヒータを通電する除湿運転を行なう。
【００２９】
したがって、除湿機の制御装置は、室内の湿度に応じた運転モードを決定して除湿運転を行なうことが可能となる。
【００３０】
本発明の別の局面に従えば、水分の吸着と離脱を連続的に行なう回転式除湿材を備えた除湿機の制御装置において、除湿機内の所定位置の温度を検知するための温度検知手段を備え、除湿運転開始時に、ｉ）温度検知手段によって検知された所定位置の温度が設定温度未満になるまで回転式除湿材の水分を離脱させるための再生空気を加熱するための再生ヒータを通電せずに除湿運転を行ない、ｉｉ）温度検知手段によって検知された所定位置の温度が設定温度未満となったときに再生ヒータを通電する除湿運転を開始した後、温度検知手段によって検知された所定位置の温度が設定温度未満の場合には再生ヒータを通電する除湿運転を行ない、温度検知手段によって検知された所定位置の温度が設定温度以上の場合には再生ヒータを通電せずに除湿運転を行なうための制御手段を含む。
【００３１】
制御手段は、除湿運転開始時に温度検知手段によって検知された所定位置の温度が設定温度未満になるまで再生ヒータを通電せずに除湿運転を行ない、温度検知手段によって検知された所定位置の温度が設定温度未満となったときに再生ヒータを通電する除湿運転を開始するので、強制的に除湿運転を停止させた直後に除湿運転を再開させた場合であっても、再生ファンが故障する等の異常な状態でない限り本体内部は冷却され、所定位置の温度が著しく高いことを検知することがなくなり、不要なアフターパージ運転を防止して使用者の利便性を向上させることが可能となる。
【００３２】
好ましくは、温度検知手段は、再生ヒータの加熱部の温度を測定する加熱部温度センサを含み、制御手段は、除湿運転開始時に加熱部温度センサによって検知された温度が設定温度未満になるまで再生ヒータを通電せずに除湿運転を行ない、加熱部温度センサによって検知された温度が設定温度未満となったときに再生ヒータを通電する除湿運転を開始した後、加熱部温度センサによって検知された温度が設定温度未満の場合には再生ヒータを通電する除湿運転を行ない、加熱部温度センサによって検知された温度が設定温度以上の場合には再生ヒータを通電せずに除湿運転を行なう。
【００３３】
したがって、強制的に除湿運転を停止させた直後に除湿運転を再開させた場合であっても、再生ファンが故障する等の異常な状態でない限り本体内部は冷却され、加熱部の温度が著しく高いことを検知することがなくなり、不要なアフターパージ運転を防止して使用者の利便性を向上させることが可能となる。
【００３４】
さらに好ましくは、温度検知手段はさらに、再生空気が回転式除湿材から出た直後の位置に設けられる再生温度センサを含み、制御手段は、除湿運転開始時に加熱部温度センサおよび再生温度センサによって検知された温度がいずれも設定温度未満になるまで再生ヒータを通電せずに除湿運転を行ない、加熱部温度センサおよび再生温度センサによって検知された温度がいずれも設定温度未満となったときに再生ヒータを通電する除湿運転を開始した後、加熱部温度センサおよび再生温度センサによって検知された温度がいずれも設定温度未満の場合には再生ヒータを通電する除湿運転を行ない、加熱部温度センサおよび再生温度センサによって検知された温度のいずれかが設定温度以上の場合には再生ヒータを通電せずに除湿運転を行なう。
【００３５】
したがって、強制的に除湿運転を停止させた直後に除湿運転を再開させた場合であっても、再生ファンが故障する等の異常な状態でない限り本体内部は冷却され、加熱部および再生空気が除湿ロータから出た直後の位置の温度が著しく高いことを検知することがなくなり、不要なアフターパージ運転を防止して使用者の利便性を向上させることが可能となる。
【００３６】
好ましくは、除湿機の制御装置はさらに、室内の湿度を検知するための湿度検知手段を含み、制御手段は、除湿運転開始時に温度検知手段によって検知された所定位置の温度が設定温度未満になるまで再生ヒータを通電せずに除湿運転を行ない、温度検知手段によって検知された温度が設定温度未満である場合には、再生ヒータが再生空気に加える熱量が異なる複数の運転モードから湿度検知手段によって検知された室内の湿度に基づき一の運転モードを決定し、決定された運転モードで再生ヒータを通電する除湿運転を行なう。
【００３７】
したがって、除湿機の制御装置は、室内の湿度に応じた運転モードを決定して除湿運転を行なうことが可能となる。
【００３８】
本発明のさらに別の局面に従えば、水分の吸着と離脱を連続的に行なう回転式除湿材を備えた除湿機の制御方法において、除湿運転開始時に回転式除湿材の水分を離脱させるための再生空気を加熱するための再生ヒータを通電せずに除湿運転を行ない、所定時間経過後に除湿機内の所定位置の温度を検知するステップと、検知された所定位置の温度が設定温度未満の場合には再生ヒータを通電する除湿運転を行ない、検知された所定位置の温度が設定温度以上の場合には再生ヒータを通電せずに除湿運転を行なうステップとを含む。
【００３９】
除湿運転開始時に再生ヒータを通電せずに除湿運転を行ない、所定時間経過後に所定位置の温度を検知するので、強制的に除湿運転を停止させた直後に除湿運転を再開させた場合であっても、再生ファンが故障する等の異常な状態でない限り本体内部は冷却され、所定位置の温度が著しく高いことを検知することがなくなり、不要なアフターパージ運転を防止して使用者の利便性を向上させることが可能となる。
【００４０】
本発明のさらに別の局面に従えば、水分の吸着と離脱を連続的に行なう回転式除湿材を備えた除湿機の制御方法において、除湿運転開始時に所定位置の温度が設定温度未満になるまで回転式除湿材の水分を離脱させるための再生空気を加熱するための再生ヒータを通電せずに除湿運転を行ない、所定位置の温度が設定温度未満となったときに再生ヒータを通電する除湿運転を開始するステップと、除湿運転を開始した後、所定位置の温度が設定温度未満の場合には再生ヒータを通電する除湿運転を行ない、所定位置の温度が設定温度以上の場合には再生ヒータを通電せずに除湿運転を行なうステップとを含む。
【００４１】
除湿運転開始時に検知された所定位置の温度が設定温度未満になるまで再生ヒータを通電せずに除湿運転を行ない、検知された所定位置の温度が設定温度未満となったときに再生ヒータを通電する除湿運転を開始するので、強制的に除湿運転を停止させた直後に除湿運転を再開させた場合であっても、再生ファンが故障する等の異常な状態でない限り本体内部は冷却され、所定位置の温度が著しく高いことを検知することがなくなり、不要なアフターパージ運転を防止して使用者の利便性を向上させることが可能となる。
【００４２】
【発明の実施の形態】
（実施の形態１）
図１は、本発明の実施の形態１における除湿機の制御装置の概略構成を示すブロック図である。なお、本実施の形態における除湿機の全体構成は、図１５に示す従来の除湿機の全体構成と同様であるので、詳細な説明は繰返さない。
【００４３】
本実施の形態における制御装置は、制御装置全体の制御を行なう制御部１と、加熱部の温度を測定する加熱部温度センサ２と、連続除湿スイッチ３と、自動除湿スイッチ４と、運転スイッチ５と、室内の湿度を測定する湿度センサ６と、再生ヒータ７と、再生ヒータ７を駆動する駆動部８と、ロータモータ９と、再生ファン１０と、ロータモータ９および再生ファン１０を駆動する駆動部１１と、除湿ファン１２と、除湿ファン１２を駆動する駆動部１３とを含む。
【００４４】
また、制御部１は、連続除湿スイッチ３、自動除湿スイッチ４および運転スイッチ５の入力状態と、加熱部温度センサ２および湿度センサ６の検出信号とを受けて運転モードを判定し、その判定結果によって駆動部８、１１および１３を制御する運転モード判定部２１と、タイマ２２とを含む。また、運転モード判定部２１は、加熱部温度センサ２からの検出信号によって加熱部の温度を検知し、検知した温度に基づいて駆動部８を制御して再生ヒータ７を駆動するヒータ出力判定部２３を含む。
【００４５】
図２は、本実施の形態における制御装置の連続除湿運転時の処理手順を説明するためのフローチャートである。連続除湿運転が選択されると、まず、運転モード判定部２１は、加熱部温度センサ２および湿度センサ６から出力される検出信号を無視し（Ｓ１）、タイマ２２に値（Ｔ＝０）を設定してカウントを開始させる（Ｓ２）。そして、運転モード判定部２１は、駆動部１１および１３を制御して、ロータモータ９、再生ファン１０および除湿ファン１２を駆動させる（Ｓ３）。このとき、再生ヒータ７の通電は停止したままである。
【００４６】
ヒータ出力判定部２３は、タイマ２２のカウント値が所定値（Ｔ＝Ｔ0）に達したのを検出すると（Ｓ４）、駆動部８を制御して再生ヒータ７を駆動させる（Ｓ５）。そして、ヒータ出力判定部２３は、加熱部温度センサ２の検出信号を読込んで加熱部の温度を検知し（Ｓ６）、加熱部の温度が予め設定された温度（以下、設定温度と呼ぶ。）未満であるか否かを判定する（Ｓ７）。
【００４７】
加熱部の温度が設定温度未満であれば（Ｓ７，Ｙｅｓ）、運転モード判定部２１が駆動部８、１１および１３を制御して、再生ヒータ７、ロータモータ９、再生ファン１０および除湿ファン１２を駆動することにより（Ｓ８）、部屋の湿度に関係なく連続的に除湿運転を行なう。そして、運転モード判定部２１は、運転スイッチ５の入力状態を参照して運転を継続するか否かを判定する（Ｓ９）。運転を継続すると判定すれば（Ｓ９，Ｙｅｓ）、ステップＳ６へ戻って以降の処理を繰返す。また、運転を継続しないと判定すれば（Ｓ９，Ｎｏ）、ステップＳ１０へ処理が進む。
【００４８】
加熱部の温度が設定温度以上であれば（Ｓ７，Ｎｏ）、ヒータ出力判定部２３が駆動部８を制御して、再生ヒータ７のみに通電停止の信号を出力させる。そして、駆動部１３を制御して除湿ファン１２が最小風量となるように駆動し、駆動部１１を制御してロータモータ９および再生ファン１０に運転継続の信号を出力させてアフターパージ運転を行なうとともに（Ｓ１０）、タイマ２２に値（Ｔ＝０）を設定してカウントを開始させる（Ｓ１１）。
【００４９】
運転モード判定部２１は、タイマ２２が所定時間（Ｔ＝Ｔ1）になるのを検出すると（Ｓ１２）、駆動部８、１１および１３を制御して、再生ヒータ７、ロータモータ９、再生ファン１０および除湿ファン１２の通電を停止させる。
【００５０】
図３（ａ）は、各運転モードにおける再生ヒータ７、除湿ファン１２、ロータモータ９および再生ファン１０の出力状態を示す図である。たとえば、連続除湿運転モードの場合には、再生ヒータ７および除湿ファン１２の出力状態がそれぞれ最大となるように駆動するとともに、ロータモータ９および再生ファン１０を駆動して連続除湿運転を行なう。また、アフターパージ運転の場合には、再生ヒータ７の通電を停止し、除湿ファン１２の風量が最小となるように駆動するとともに、ロータモータ９および再生ファン１０を駆動してアフターパージ運転を行なう。
【００５１】
図３（ｂ）は、除湿ファン１２の出力状態と設定風量との関係を示しており、図３（ａ）の除湿ファンの欄に対応している。また、図３（ｃ）は、再生ヒータ７の出力状態と設定ワット数との関係を示しており、図３（ａ）の再生ヒータの欄に対応している。
【００５２】
図４は、本実施の形態における制御装置の自動除湿運転時の処理手順を説明するためのフローチャートである。自動除湿運転が選択されると、まず、運転モード判定部２１は、湿度センサ６から出力される検出信号を読込んで室内の湿度を検知する（Ｓ２１）。このとき、加熱部温度センサ２から出力される検出信号は無視する。そして、タイマ２２に値（Ｔ＝０）を設定してカウントを開始させる（Ｓ２２）。そして、運転モード判定部２１は、室内の湿度に応じて、駆動部１１および１３を制御して、ロータモータ９、再生ファン１０および除湿ファン１２を駆動させる（Ｓ２３）。このとき、再生ヒータ７の通電は停止したままである。
【００５３】
ヒータ出力判定部２３は、タイマ２２のカウント値が所定値（Ｔ＝Ｔ0）に達したのを検出すると（Ｓ２４）、駆動部８を制御して室内の湿度に応じて再生ヒータ７を駆動させる（Ｓ２５）。そして、運転モード判定部２１は、加熱部温度センサ２および湿度センサ６の検出信号を読込んで加熱部の温度および室内の湿度を検知し（Ｓ２６）、加熱部の温度が予め設定された温度未満であるか否かを判定する（Ｓ２７）。
【００５４】
加熱部の温度が設定温度未満であれば（Ｓ２７，Ｙｅｓ）、運転モード判定部２１が室内の湿度に応じて駆動部８、１１および１３を制御して、再生ヒータ７、ロータモータ９、再生ファン１０および除湿ファン１２を駆動することにより（Ｓ２８）、図３（ａ）に示すような自動除湿運転を行なう。そして、運転モード判定部２１は、運転スイッチ４の入力状態を参照して運転を継続するか否かを判定する（Ｓ２９）。運転を継続すると判定すれば（Ｓ２９，Ｙｅｓ）、ステップＳ２６へ戻って以降の処理を繰返す。また、運転を継続しないと判定すれば（Ｓ２９，Ｎｏ）、ステップＳ３０へ処理が進む。
【００５５】
加熱部の温度が設定温度以上であれば（Ｓ２７，Ｎｏ）、ヒータ出力判定部２３が駆動部８を制御して、再生ヒータ７のみに通電停止の信号を出力させる。そして、駆動部１３を制御して除湿ファン１２が最小風量となるように駆動し、駆動部１１を制御してロータモータ９および再生ファン１０に運転継続の信号を出力させてアフターパージ運転を行なうとともに（Ｓ３０）、タイマ２２に値（Ｔ＝０）を設定してカウントを開始させる（Ｓ３１）。
【００５６】
運転モード判定部２１は、タイマ２２が所定時間（Ｔ＝Ｔ1）になるのを検出すると（Ｓ３２）、駆動部８、１１および１３を制御して、再生ヒータ７、ロータモータ９、再生ファン１０および除湿ファン１２の通電を停止させる。
【００５７】
図５は、室内の湿度と自動除湿運転における運転モードとの関係を示す図である。たとえば、室内の湿度がＲＨ１以上であれば、図３（ａ）の自動除湿『強』に示す各出力状態となるように、再生ヒータ７、ロータモータ９、再生ファン１０および除湿ファン１２を駆動する。
【００５８】
以上説明したように、本実施の形態における除湿機の制御装置によれば、連続除湿運転または自動除湿運転の運転開始時において、所定時間Ｔ0だけロータモータ９、再生ファン１０および除湿ファン１２を駆動した後に、加熱部に設けられた加熱部温度センサ２の検出信号を読込むようにしたので、強制的に運転を停止させた直後に運転を再開させた場合であっても加熱部の温度が著しく高いことを検知することがないため、不要なアフターパージ運転を防止して使用者の利便性を向上させることが可能となった。
【００５９】
（実施の形態２）
図６は、本発明の実施の形態２における除湿機の制御装置の概略構成を示すブロック図である。本実施の形態における制御装置は、図１に示す実施の形態１における制御装置と比較して、再生空気が除湿ロータから出た直後の位置に設けられる再生温度センサ１４が追加された点、およびヒータ出力判定部の機能が異なる点のみが異なる。したがって、重複する構成および機能の詳細な説明は繰返さない。本実施の形態における制御部、運転モード判定部およびヒータ出力判定部の参照符号をそれぞれ、１ａ、２１ａおよび２３ａとして説明する。なお、本実施の形態における除湿機の全体構成は、図１５に示す従来の除湿機の全体構成と同様である。
【００６０】
図７は、本実施の形態における制御装置の連続除湿運転時の処理手順を説明するためのフローチャートである。連続除湿運転が選択されると、まず、運転モード判定部２１ａは、加熱部温度センサ２、再生温度センサ１４および湿度センサ６から出力される検出信号を無視し（Ｓ１’）、タイマ２２に値（Ｔ＝０）を設定してカウントを開始させる（Ｓ２）。そして、運転モード判定部２１ａは、駆動部１１および１３を制御して、ロータモータ９、再生ファン１０および除湿ファン１２を駆動させる（Ｓ３）。このとき、再生ヒータ７の通電は停止したままである。
【００６１】
ヒータ出力判定部２３ａは、タイマ２２のカウント値が所定値（Ｔ＝Ｔ0）に達したのを検出すると（Ｓ４）、駆動部８を制御して再生ヒータ７を駆動させる（Ｓ５）。そして、ヒータ出力判定部２３ａは、加熱部温度センサ２および再生温度センサ１４の検出信号を読込んで加熱部および再生部の温度を検知し（Ｓ６’）、加熱部および再生部の温度がいずれも設定温度未満であるか否かを判定する（Ｓ７’）。なお、この設定温度は、本実施の形態においては加熱部と再生部とでそれぞれ異なる値が設定されている。
【００６２】
加熱部および再生部の温度がいずれも設定温度未満であれば（Ｓ７’，Ｙｅｓ）、運転モード判定部２１ａが駆動部８、１１および１３を制御して、再生ヒータ７、ロータモータ９、再生ファン１０および除湿ファン１２を駆動することにより（Ｓ８）、部屋の湿度に関係なく連続的に除湿運転を行なう。そして、運転モード判定部２１ａは、運転スイッチ５の入力状態を参照して運転を継続するか否かを判定する（Ｓ９）。運転を継続すると判定すれば（Ｓ９，Ｙｅｓ）、ステップＳ６’へ戻って以降の処理を繰返す。また、運転を継続しないと判定すれば（Ｓ９，Ｎｏ）、ステップＳ１０へ処理が進む。
【００６３】
加熱部または再生部の温度が設定温度以上であれば（Ｓ７’，Ｎｏ）、ヒータ出力判定部２３ａが駆動部８を制御して、再生ヒータ７のみに通電停止の信号を出力させる。そして、駆動部１３を制御して除湿ファン１２が最小風量となるように駆動し、駆動部１１を制御してロータモータ９および再生ファン１０に運転継続の信号を出力させてアフターパージ運転を行なうとともに（Ｓ１０）、タイマ２２に値（Ｔ＝０）を設定してカウントを開始させる（Ｓ１１）。
【００６４】
運転モード判定部２１ａは、タイマ２２が所定時間（Ｔ＝Ｔ1）になるのを検出すると（Ｓ１２）、駆動部８、１１および１３を制御して、再生ヒータ７、ロータモータ９、再生ファン１０および除湿ファン１２の通電を停止させる。
【００６５】
図８は、本実施の形態における制御装置の自動除湿運転時の処理手順を説明するためのフローチャートである。自動除湿運転が選択されると、まず、運転モード判定部２１ａは、湿度センサ６から出力される検出信号を読込んで室内の湿度を検知する（Ｓ２１’）。このとき、加熱部温度センサ２および再生温度センサ１４から出力される検出信号は無視する。そして、タイマ２２に値（Ｔ＝０）を設定してカウントを開始させる（Ｓ２２）。そして、運転モード判定部２１ａは、室内の湿度に応じて、駆動部１１および１３を制御して、ロータモータ９、再生ファン１０および除湿ファン１２を駆動させる（Ｓ２３）。このとき、再生ヒータ７の通電は停止したままである。
【００６６】
ヒータ出力判定部２３ａは、タイマ２２のカウント値が所定値（Ｔ＝Ｔ0）に達したのを検出すると（Ｓ２４）、駆動部８を制御して室内の湿度に応じて再生ヒータ７を駆動させる（Ｓ２５）。そして、運転モード判定部２１ａは、加熱部温度センサ２、再生温度センサ１４および湿度センサ６の検出信号を読込んで加熱部および再生部の温度と室内の湿度とを検知し（Ｓ２６’）、加熱部および再生部の温度がいずれも設定温度未満であるか否かを判定する（Ｓ２７’）。
【００６７】
加熱部および再生部の温度がいずれも設定温度未満であれば（Ｓ２７’，Ｙｅｓ）、運転モード判定部２１ａが室内の湿度に応じて駆動部８、１１および１３を制御して、再生ヒータ７、ロータモータ９、再生ファン１０および除湿ファン１２を駆動することにより（Ｓ２８）、図３（ａ）に示すような自動除湿運転を行なう。そして、運転モード判定部２１ａは、運転スイッチ４の入力状態を参照して運転を継続するか否かを判定する（Ｓ２９）。運転を継続すると判定すれば（Ｓ２９，Ｙｅｓ）、ステップＳ２６’へ戻って以降の処理を繰返す。また、運転を継続しないと判定すれば（Ｓ２９，Ｎｏ）、ステップＳ３０へ処理が進む。
【００６８】
加熱部または再生部の温度が設定温度以上であれば（Ｓ２７’，Ｎｏ）、ヒータ出力判定部２３ａが駆動部８を制御して、再生ヒータ７のみに通電停止の信号を出力させる。そして、駆動部１３を制御して除湿ファン１２が最小風量となるように駆動し、駆動部１１を制御してロータモータ９および再生ファン１０に運転継続の信号を出力させてアフターパージ運転を行なうとともに（Ｓ３０）、タイマ２２に値（Ｔ＝０）を設定してカウントを開始させる（Ｓ３１）。
【００６９】
運転モード判定部２１ａは、タイマ２２が所定時間（Ｔ＝Ｔ1）になるのを検出すると（Ｓ３２）、駆動部８、１１および１３を制御して、再生ヒータ７、ロータモータ９、再生ファン１０および除湿ファン１２の通電を停止させる。
【００７０】
以上説明したように、本実施の形態における除湿機の制御装置によれば、連続除湿運転または自動除湿運転の運転開始時において、所定時間Ｔ0だけロータモータ９、再生ファン１０および除湿ファン１２を駆動した後に、加熱部に設けられた加熱部温度センサ２および再生空気が除湿ロータから出た直後の位置に設けられた再生温度センサ１４の検出信号を読込むようにしたので、強制的に運転を停止させた直後に運転を再開させた場合であっても加熱部および再生部の温度が著しく高いことを検知することがないため、不要なアフターパージ運転を防止して使用者の利便性を向上させることが可能となった。
【００７１】
（実施の形態３）
図９は、本発明の実施の形態３における除湿機の制御装置の概略構成を示すブロック図である。本実施の形態における制御装置は、図１に示す実施の形態１における制御装置と比較して、ヒータ出力判定部の機能が異なる点のみが異なる。したがって、重複する構成および機能の詳細な説明は繰返さない。本実施の形態における制御部、運転モード判定部およびヒータ出力判定部の参照符号をそれぞれ、１ｂ、２１ｂおよび２３ｂとして説明する。なお、本実施の形態における除湿機の全体構成は、図１５に示す従来の除湿機の全体構成と同様である。
【００７２】
図１０は、本実施の形態における制御装置の連続除湿運転時の処理手順を説明するためのフローチャートである。連続除湿運転が選択されると、まず、運転モード判定部２１ｂは、加熱部温度センサ２から出力される検出信号によって加熱部の温度を検知する（Ｓ４１）。このとき、湿度センサ６から出力される検出信号は無視する。そして、運転モード判定部２１ｂは、駆動部１１および１３を制御して、ロータモータ９、再生ファン１０および除湿ファン１２を駆動させる（Ｓ４２）。このとき、再生ヒータ７の通電は停止したままである。
【００７３】
次に、ヒータ出力判定部２３ｂは、加熱部の温度が設定温度未満であるか否かを判定する（Ｓ４３）。加熱部の温度が設定温度以上であれば（Ｓ４３，Ｎｏ）、ステップＳ４１へ戻って以降の処理を繰返す。また、加熱部の温度が設定温度未満であれば（Ｓ４３，Ｙｅｓ）、ヒータ出力判定部２３ｂは、再度加熱温度センサ２から出力される検出信号を読込む（Ｓ４４）。そして、運転モード判定部２１ｂが駆動部８、１１および１３を制御して、再生ヒータ７、ロータモータ９、再生ファン１０および除湿ファン１２を駆動することにより（Ｓ４５）、部屋の湿度に関係なく連続的に除湿運転を行なう。
【００７４】
次に、ヒータ出力判定部２３ｂは、加熱部の温度が設定温度未満であるか否かを判定する（Ｓ４６）。加熱部の温度が設定温度未満であれば（Ｓ４６，Ｙｅｓ）、運転モード判定部２１ｂは、運転スイッチ５の入力状態を参照して運転を継続するか否かを判定する（Ｓ４７）。運転を継続すると判定すれば（Ｓ４７，Ｙｅｓ）、ステップＳ４４へ戻って以降の処理を繰返す。また、運転を継続しないと判定すれば（Ｓ４７，Ｎｏ）、ステップＳ４８へ処理が進む。
【００７５】
加熱部の温度が設定温度以上であれば（Ｓ４６，Ｎｏ）、ヒータ出力判定部２３ｂが駆動部８を制御して、再生ヒータ７のみに通電停止の信号を出力させる。そして、駆動部１３を制御して除湿ファン１２が最小風量となるように駆動し、駆動部１１を制御してロータモータ９および再生ファン１０に運転継続の信号を出力させてアフターパージ運転を行なうとともに（Ｓ４８）、タイマ２２に値（Ｔ＝０）を設定してカウントを開始させる（Ｓ４９）。
【００７６】
運転モード判定部２１ｂは、タイマ２２が所定時間（Ｔ＝Ｔ1）になるのを検出すると（Ｓ５０）、駆動部８、１１および１３を制御して、再生ヒータ７、ロータモータ９、再生ファン１０および除湿ファン１２の通電を停止させる。
【００７７】
図１１は、本実施の形態における制御装置の自動除湿運転時の処理手順を説明するためのフローチャートである。自動除湿運転が選択されると、まず、運転モード判定部２１ｂは、加熱部温度センサ２および湿度センサ６から出力される検出信号を読込んで加熱部の温度および室内の湿度を検知する（Ｓ５１）。そして、運転モード判定部２１ｂは、室内の湿度に応じて、駆動部１１および１３を制御して、ロータモータ９、再生ファン１０および除湿ファン１２を駆動させる（Ｓ５２）。このとき、再生ヒータ７の通電は停止したままである。
【００７８】
次に、ヒータ出力判定部２３ｂは、加熱部の温度が設定温度未満であるか否かを判定する（Ｓ５３）。加熱部の温度が設定温度以上であれば（Ｓ５３，Ｎｏ）、ステップＳ５１へ戻って以降の処理を繰返す。また、加熱部の温度が設定温度未満であれば（Ｓ５３，Ｙｅｓ）、再度加熱部温度センサ２および湿度センサ６から出力される検出信号を読込んで加熱部の温度および室内の湿度を検知する（Ｓ５４）。
【００７９】
そして、運転モード判定部２１ｂが室内の湿度に応じて駆動部８、１１および１３を制御して、再生ヒータ７、ロータモータ９、再生ファン１０および除湿ファン１２を駆動することにより（Ｓ５５）、図３（ａ）に示すような自動除湿運転を行なう。そして、ヒータ出力判定部２３ｂは、加熱部の温度が設定温度未満であるか否かを判定する（Ｓ５６）。加熱部の温度が設定温度未満であれば（Ｓ５６，Ｙｅｓ）、運転モード判定部２１ｂは、運転スイッチ４の入力状態を参照して運転を継続するか否かを判定する（Ｓ５７）。運転を継続すると判定すれば（Ｓ５７，Ｙｅｓ）、ステップＳ５４へ戻って以降の処理を繰返す。また、運転を継続しないと判定すれば（Ｓ５７，Ｎｏ）、ステップＳ５８へ処理が進む。
【００８０】
加熱部の温度が設定温度以上であれば（Ｓ５６，Ｎｏ）、ヒータ出力判定部２３ｂが駆動部８を制御して、再生ヒータ７のみに通電停止の信号を出力させる。そして、駆動部１３を制御して除湿ファン１２が最小風量となるように駆動し、駆動部１１を制御してロータモータ９および再生ファン１０に運転継続の信号を出力させてアフターパージ運転を行なうとともに（Ｓ５８）、タイマ２２に値（Ｔ＝０）を設定してカウントを開始させる（Ｓ５９）。
【００８１】
運転モード判定部２１ｂは、タイマ２２が所定時間（Ｔ＝Ｔ1）になるのを検出すると（Ｓ６０）、駆動部８、１１および１３を制御して、再生ヒータ７、ロータモータ９、再生ファン１０および除湿ファン１２の通電を停止させる。
【００８２】
以上説明したように、本実施の形態における除湿機の制御装置によれば、連続除湿運転または自動除湿運転の運転開始時において、ロータモータ９、再生ファン１０および除湿ファン１２を駆動して加熱部の温度が設定温度未満となるまで待つようにしたので、強制的に運転を停止させた直後に運転を再開させた場合であっても加熱部の温度が著しく高いことを検知することがないため、不要なアフターパージ運転を防止して使用者の利便性を向上させることが可能となった。
【００８３】
（実施の形態４）
図１２は、本発明の実施の形態４における除湿機の制御装置の概略構成を示すブロック図である。本実施の形態における制御装置は、図９に示す実施の形態３における制御装置と比較して、再生空気が除湿ロータから出た直後の位置に設けられる再生温度センサ１４が追加された点、およびヒータ出力判定部の機能が異なる点のみが異なる。したがって、重複する構成および機能の詳細な説明は繰返さない。本実施の形態における制御部、運転モード判定部およびヒータ出力判定部の参照符号をそれぞれ、１ｃ、２１ｃおよび２３ｃとして説明する。なお、本実施の形態における除湿機の全体構成は、図１５に示す従来の除湿機の全体構成と同様である。
【００８４】
図１３は、本実施の形態における制御装置の連続除湿運転時の処理手順を説明するためのフローチャートである。連続除湿運転が選択されると、まず、運転モード判定部２１ｃは、加熱部温度センサ２および再生温度センサ１４から出力される検出信号によって加熱部および再生部の温度を検知する（Ｓ４１’）。このとき、湿度センサ６から出力される検出信号は無視する。そして、運転モード判定部２１ｃは、駆動部１１および１３を制御して、ロータモータ９、再生ファン１０および除湿ファン１２を駆動させる（Ｓ４２）。このとき、再生ヒータ７の通電は停止したままである。
【００８５】
次に、ヒータ出力判定部２３ｃは、加熱部および再生部の温度がいずれも設定温度未満であるか否かを判定する（Ｓ４３’）。加熱部または再生部の温度が設定温度以上であれば（Ｓ４３’，Ｎｏ）、ステップＳ４１’へ戻って以降の処理を繰返す。また、加熱部および再生部の温度がいずれも設定温度未満であれば（Ｓ４３’，Ｙｅｓ）、ヒータ出力判定部２３ｃは、再度加熱部温度センサ２および再生温度センサ１４から出力される検出信号を読込む（Ｓ４４’）。そして、運転モード判定部２１ｃが駆動部８、１１および１３を制御して、再生ヒータ７、ロータモータ９、再生ファン１０および除湿ファン１２を駆動することにより（Ｓ４５）、部屋の湿度に関係なく連続的に除湿運転を行なう。
【００８６】
次に、ヒータ出力判定部２３ｃは、加熱部および再生部の温度がいずれも設定温度未満であるか否かを判定する（Ｓ４６’）。加熱部および再生部の温度がいずれも設定温度未満であれば（Ｓ４６’，Ｙｅｓ）、運転モード判定部２１ｃは、運転スイッチ５の入力状態を参照して運転を継続するか否かを判定する（Ｓ４７）。運転を継続すると判定すれば（Ｓ４７，Ｙｅｓ）、ステップＳ４４’へ戻って以降の処理を繰返す。また、運転を継続しないと判定すれば（Ｓ４７，Ｎｏ）、ステップＳ４８へ処理が進む。
【００８７】
加熱部または再生部の温度が設定温度以上であれば（Ｓ４６’，Ｎｏ）、ヒータ出力判定部２３ｃが駆動部８を制御して、再生ヒータ７のみに通電停止の信号を出力させる。そして、駆動部１３を制御して除湿ファン１２が最小風量となるように駆動し、駆動部１１を制御してロータモータ９および再生ファン１０に運転継続の信号を出力させてアフターパージ運転を行なうとともに（Ｓ４８）、タイマ２２に値（Ｔ＝０）を設定してカウントを開始させる（Ｓ４９）。
【００８８】
運転モード判定部２１ｃは、タイマ２２が所定時間（Ｔ＝Ｔ1）になるのを検出すると（Ｓ５０）、駆動部８、１１および１３を制御して、再生ヒータ７、ロータモータ９、再生ファン１０および除湿ファン１２の通電を停止させる。
【００８９】
図１４は、本実施の形態における制御装置の自動除湿運転時の処理手順を説明するためのフローチャートである。自動除湿運転が選択されると、まず、運転モード判定部２１ｃは、加熱部温度センサ２、再生温度センサ１４および湿度センサ６から出力される検出信号を読込んで加熱部および再生部の温度と室内の湿度とを検知する（Ｓ５１’）。そして、運転モード判定部２１ｃは、室内の湿度に応じて、駆動部１１および１３を制御して、ロータモータ９、再生ファン１０および除湿ファン１２を駆動させる（Ｓ５２）。このとき、再生ヒータ７の通電は停止したままである。
【００９０】
次に、ヒータ出力判定部２３ｃは、加熱部および再生部の温度がいずれも設定温度未満であるか否かを判定する（Ｓ５３’）。加熱部または再生部の温度が設定温度以上であれば（Ｓ５３’，Ｎｏ）、ステップＳ５１’へ戻って以降の処理を繰返す。また、加熱部および再生部の温度がいずれも設定温度未満であれば（Ｓ５３’，Ｙｅｓ）、再度加熱部温度センサ２、再生温度センサ１４および湿度センサ６から出力される検出信号を読込んで加熱部および再生部の温度と室内の湿度とを検知する（Ｓ５４’）。
【００９１】
そして、運転モード判定部２１ｃが室内の湿度に応じて駆動部８、１１および１３を制御して、再生ヒータ７、ロータモータ９、再生ファン１０および除湿ファン１２を駆動することにより（Ｓ５５）、図３（ａ）に示すような自動除湿運転を行なう。そして、運転モード判定部２１ｃは、加熱部および再生部の温度がいずれも設定温度未満であるか否かを判定する（Ｓ５６’）。加熱部および再生部の温度がいずれも設定温度未満であれば（Ｓ５６’，Ｙｅｓ）、運転モード判定部２１ｃは、運転スイッチ４の入力状態を参照して運転を継続するか否かを判定する（Ｓ５７）。運転を継続すると判定すれば（Ｓ５７，Ｙｅｓ）、ステップＳ５４’へ戻って以降の処理を繰返す。また、運転を継続しないと判定すれば（Ｓ５７，Ｎｏ）、ステップＳ５８へ処理が進む。
【００９２】
加熱部または再生部の温度が設定温度以上であれば（Ｓ５６’，Ｎｏ）、ヒータ出力判定部２３ｃが駆動部８を制御して、再生ヒータ７のみに通電停止の信号を出力させる。そして、駆動部１３を制御して除湿ファン１２が最小風量となるように駆動し、駆動部１１を制御してロータモータ９および再生ファン１０に運転継続の信号を出力させてアフターパージ運転を行なうとともに（Ｓ５８）、タイマ２２に値（Ｔ＝０）を設定してカウントを開始させる（Ｓ５９）。
【００９３】
運転モード判定部２１ｃは、タイマ２２が所定時間（Ｔ＝Ｔ1）になるのを検出すると（Ｓ６０）、駆動部８、１１および１３を制御して、再生ヒータ７、ロータモータ９、再生ファン１０および除湿ファン１２の通電を停止させる。
【００９４】
以上説明したように、本実施の形態における除湿機の制御装置によれば、連続除湿運転または自動除湿運転の運転開始時において、ロータモータ９、再生ファン１０および除湿ファン１２を駆動して加熱部に設けられた加熱部温度センサ２および再生空気が除湿ロータから出た直後の位置に設けられた再生温度センサ１４の検出信号が設定温度未満となるまで待つようにしたので、強制的に運転を停止させた直後に運転を再開させた場合であっても加熱部および再生部の温度が著しく高いことを検知することがないため、不要なアフターパージ運転を防止して使用者の利便性を向上させることが可能となった。
【００９５】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００９６】
【発明の効果】
本発明のある局面によれば、制御手段が除湿運転開始時に再生ヒータを通電せずに除湿運転を行ない、所定時間経過後に温度検知手段によって所定位置の温度を検知するので、強制的に除湿運転を停止させた直後に除湿運転を再開させた場合であっても、再生ファンが故障する等の異常な状態でない限り本体内部は冷却され、所定位置の温度が著しく高いことを検知することがなくなり、不要なアフターパージ運転を防止して使用者の利便性を向上させることが可能となった。
【００９７】
また、温度検知手段は、再生ヒータの加熱部の温度を測定する加熱部温度センサを含み、制御手段は除湿運転開始時に再生ヒータを通電せずに除湿運転を行ない、所定時間経過後に加熱部温度センサによって加熱部の温度を検知するので、強制的に除湿運転を停止させた直後に除湿運転を再開させた場合であっても、再生ファンが故障する等の異常な状態でない限り本体内部は冷却され、加熱部の温度が著しく高いことを検知することがなくなり、不要なアフターパージ運転を防止して使用者の利便性を向上させることが可能となった。
【００９８】
また、温度検知手段はさらに、再生空気が回転式除湿材から出た直後の位置に設けられる再生温度センサを含み、制御手段は除湿運転開始時に再生ヒータを通電せずに除湿運転を行ない、所定時間経過後に加熱部温度センサおよび再生温度センサによってそれぞれの温度を検知するので、強制的に除湿運転を停止させた直後に除湿運転を再開させた場合であっても、再生ファンが故障する等の異常な状態でない限り本体内部は冷却され、加熱部および再生空気が除湿ロータから出た直後の位置の温度が著しく高いことを検知することがなくなり、不要なアフターパージ運転を防止して使用者の利便性を向上させることが可能となった。
【００９９】
また、除湿機の制御装置はさらに、室内の湿度を検知するための湿度検知手段を含み、制御手段が除湿運転開始時に再生ヒータを通電せずに除湿運転を行ない、所定時間経過後に温度検知手段によって検知された所定位置の温度が設定温度未満である場合には、再生ヒータが再生空気に加える熱量が異なる複数の運転モードから湿度検知手段によって検知された室内の湿度に基づき一の運転モードを決定し、決定された運転モードで再生ヒータを通電する除湿運転を行なうので、除湿機の制御装置は室内の湿度に応じた運転モードを決定して除湿運転を行なうことが可能となった。
【０１００】
本発明の別の局面によれば、制御手段が除湿運転開始時に温度検知手段によって検知された所定位置の温度が設定温度未満になるまで再生ヒータを通電せずに除湿運転を行ない、温度検知手段によって検知された所定位置の温度が設定温度未満となったときに再生ヒータを通電する除湿運転を開始するので、強制的に除湿運転を停止させた直後に除湿運転を再開させた場合であっても、再生ファンが故障する等の異常な状態でない限り本体内部は冷却され、所定位置の温度が著しく高いことを検知することがなくなり、不要なアフターパージ運転を防止して使用者の利便性を向上させることが可能となった。
【０１０１】
また、温度検知手段は、再生ヒータの加熱部の温度を測定する加熱部温度センサを含み、制御手段が除湿運転開始時に加熱部温度センサによって検知された温度が設定温度未満になるまで再生ヒータを通電せずに除湿運転を行ない、加熱部温度センサによって検知された温度が設定温度未満となったときに再生ヒータを通電する除湿運転を開始するので、強制的に除湿運転を停止させた直後に除湿運転を再開させた場合であっても、再生ファンが故障する等の異常な状態でない限り本体内部は冷却され、加熱部の温度が著しく高いことを検知することがなくなり、不要なアフターパージ運転を防止して使用者の利便性を向上させることが可能となった。
【０１０２】
また、温度検知手段はさらに、再生空気が回転式除湿材から出た直後の位置に設けられる再生温度センサを含み、制御手段が除湿運転開始時に加熱部温度センサおよび再生温度センサによって検知された温度がいずれも設定温度未満になるまで再生ヒータを通電せずに除湿運転を行ない、加熱部温度センサおよび再生温度センサによって検知された温度がいずれも設定温度未満となったときに再生ヒータを通電する除湿運転を開始するので、強制的に除湿運転を停止させた直後に除湿運転を再開させた場合であっても、再生ファンが故障する等の異常な状態でない限り本体内部は冷却され、加熱部および再生空気が除湿ロータから出た直後の位置の温度が著しく高いことを検知することがなくなり、不要なアフターパージ運転を防止して使用者の利便性を向上させることが可能となった。
【０１０３】
また、除湿機の制御装置はさらに、室内の湿度を検知するための湿度検知手段を含み、制御手段が除湿運転開始時に温度検知手段によって検知された所定位置の温度が設定温度未満になるまで再生ヒータを通電せずに除湿運転を行ない、温度検知手段によって検知された温度が設定温度未満である場合には、再生ヒータが再生空気に加える熱量が異なる複数の運転モードから湿度検知手段によって検知された室内の湿度に基づき一の運転モードを決定し、決定された運転モードで再生ヒータを通電する除湿運転を行なうので、除湿機の制御装置は、室内の湿度に応じた運転モードを決定して除湿運転を行なうことが可能となった。
【図面の簡単な説明】
【図１】  本発明の実施の形態１における除湿機の制御装置の概略構成を示すブロック図である。
【図２】  本発明の実施の形態１における制御装置の連続除湿運転時の処理手順を説明するためのフローチャートである。
【図３】  （ａ）は、各運転モードにおける再生ヒータ７、除湿ファン１２、ロータモータ９および再生ファン１０の出力状態を示す図である。（ｂ）は、除湿ファン１２の出力状態と設定風量との関係を示す図である。（ｃ）は、再生ヒータ７の出力状態と設定ワット数との関係を示す図である。
【図４】  本発明の実施の形態１における制御装置の自動除湿運転時の処理手順を説明するためのフローチャートである。
【図５】  室内の湿度と自動除湿運転における運転モードとの関係を示す図である。
【図６】  本発明の実施の形態２における除湿機の制御装置の概略構成を示すブロック図である。
【図７】  本発明の実施の形態２における制御装置の連続除湿運転時の処理手順を説明するためのフローチャートである。
【図８】  本発明の実施の形態２における制御装置の自動除湿運転時の処理手順を説明するためのフローチャートである。
【図９】  本発明の実施の形態３における除湿機の制御装置の概略構成を示すブロック図である。
【図１０】  本発明の実施の形態３における制御装置の連続除湿運転時の処理手順を説明するためのフローチャートである。
【図１１】  本発明の実施の形態３における制御装置の自動除湿運転時の処理手順を説明するためのフローチャートである。
【図１２】  本発明の実施の形態４における除湿機の制御装置の概略構成を示すブロック図である。
【図１３】  本発明の実施の形態４における制御装置の連続除湿運転時の処理手順を説明するためのフローチャートである。
【図１４】  本発明の実施の形態４における制御装置の自動除湿運転時の処理手順を説明するためのフローチャートである。
【図１５】  除湿機の全体構成を説明するための図である。
【図１６】  従来の除湿機を制御する制御装置の概略構成を示すブロック図である。
【符号の説明】
１，１ａ，１ｂ，１ｃ  制御部、２  加熱部温度センサ、３  連続除湿スイッチ、４  自動除湿スイッチ、５  運転スイッチ、６  湿度センサ、７  再生ヒータ、８，１１，１３  駆動部、９  ロータモータ、１０  再生ファン、１２  除湿ファン、１４  再生温度センサ、２１，２１ａ，２１ｂ，２１ｃ  運転モード判定部、２２  タイマ、２３，２３ａ，２３ｂ，２３ｃ  ヒータ出力判定部。
【図１】
0003676985.tif 000002
【図２】
0003676985.tif 000003
【図３】
0003676985.tif 000004
【図４】
0003676985.tif 000005
【図５】
0003676985.tif 000006
【図６】
0003676985.tif 000007
【図７】
0003676985.tif 000008
【図８】
0003676985.tif 000009
【図９】
0003676985.tif 000010
【図１０】
0003676985.tif 000011
【図１１】
0003676985.tif 000012
【図１２】
0003676985.tif 000013
【図１３】
0003676985.tif 000014
【図１４】
0003676985.tif 000015
【図１５】
0003676985.tif 000016
【図１６】
0003676985.tif 000017